(57)【要約】【課題】納骨室に収納された個々の骨壷内の遺骨の故人情報に関し、骨壷との関連において生前の姿と経歴等の情報を世代を超えて明確に後世に骨壷を特定して伝達可能にする。【解決手段】骨壷載置台１は例えば御影石、花崗岩等の石材を使用し、所定の高さを有する基台状に形成され、側面全周には蓮華２を彫刻し、上面には平坦面よりなる骨壷載置面３を設けている。骨壷載置面３の正面には、横方向に延びるプレート嵌入溝４を設けている。プレート６は石材よりなり、正面に骨壷に収納された遺骨の故人の生前の姿をサンドブレスト法等の耐久性を有する方法により表示し、背面にはその故人の経歴をサンドブレスト法等の耐久性を有する方法で表示する。プレート６の下端縁をプレート嵌入溝４に嵌め入れ、プレート６をガイド板５、５間に立設掲示し、骨壷載置面３上にはプレート６に表示された故人の遺骨が収納された骨壷を載置して使用する。【選択図】図１
2007160040.tif 000002
【特許請求の範囲】
【請求項１】
墳墓の納骨室に収納された個々の骨壺を、顔写真若しくは肖像画若しくは経歴で収納された遺骨の故人を特定可能にし、且つその故人の生涯を認識可能にするための骨壼載置装置であって、
上面が骨壺を安定的に載置可能な骨壼載置面に形成され、該骨壺載置面の正面側には、一定溝幅のプレート嵌入溝を横方向に延設してなる骨壺載置台と、
前記プレート嵌入溝に嵌入可能な厚みを有し、一方の面には故人の顔写真若しくは肖像画を耐久性を保持させて表示し、他方の面にはその故人の経歴、功績を耐久性を保持させて表示したプレートとより構成され、
このプレート下端縁を前記プレート嵌入溝に嵌め込んで、プレートを骨壺載置台正面側に立設掲示し、前記骨壺載置面には前記プレートに表示された故人の遺骨を収納した骨壺を載置して納骨室に収納するように構成されてなることを特徴とする骨壺載置装置。
【発明の詳細な説明】
【技術分野】
【０００１】  本発明は骨壺載置装置に関し、更に詳しくは墳墓の納骨室に収納された各骨壺の故人の顔写真、俗名、経歴等の情報を世代を超えて正確に子孫、親族等に伝達可能な骨壺載置装置に関する。
【背景技術】
【０００２】  家制度、土地事情或は地域的習慣等により、日本の墳墓は親族等の遺骨を同じ納骨室に一堂に葬るタイプのものであり、新しく故人となった人の遺骨は一つの納骨室に一族の骨壺と並べて納骨するのが一般的である。従来、収納されている遺骨の主体を明確化するために、骨壺外面に油性インクで故人の氏名を記載する方法や、故人の氏名を記載した紙片を骨壺外面に貼付する方法や、故人の氏名を記載した木片を骨壺内の遺骨上に載置し被蓋する方法のうちのいずれか一の方法が採用されていた。上記従来の方法のうち骨壺外面に油性インクで故人の氏名を記入する方法であると、油性インクは耐久性が極めて低く、納骨室のような閉塞された暗所であっても数年経過すると油性インクで記載した文字は消えてしまう。又、紙片を骨壺に貼付する方法であると、納骨室内の湿気により紙片が劣化し極めて短期間で故人の氏名が判読不可能になる。更に、氏名を記入した木片を遺骨上に載置して納骨する方法であると、骨の主成分のカルシウムは水溶性であるため、納骨室内の湿気により骨が溶け、骨壺内にカルシウム水溶液が貯溜し、貯溜したカルシウム水溶液で木片が腐食するという欠点を有し、納骨後数年が経過すると、子孫がどの骨壺に誰の遺骨が収納されているのか判らなくなるという事態が生じていた。又、骨壺外面に戒名、俗名、死亡日時、死亡年齢等を記載し、生前の顔写真を貼付する骨壺が提案されている（例えば、実用新案文献１参照）。しかしながら、実用新案文献１記載の考案は、骨壺外面に故人情報を記入するのに市販の油性インクのペンを使用するため、記載した文字が数年で消えてしまい、又、骨壺外面に貼付した写真も接着剤の変質劣化により写真が骨壺外面から剥離し納骨室内に落下し、納骨後数年経過すると、骨壺に収納された遺骨の主体が誰であったのか不明瞭になるという不具合を生じていた。【０００３】  骨壺との関連において、収納されている遺骨の故人情報を、長時間明瞭に後世に正確に伝達するため、近年、種々の提案がなされている。
例えば、骨壺表面に不透明テープを貼付し、テープ貼付領域内に露光用樹脂マスクを用いて故人の写真、家紋、経文等を表現するようにしたものが提案されている（例えば、特許文献１参照）。しかしながら、特許文献１記載の発明は、骨壺外面の露光用樹脂マスクやベースフィルムを利用して骨壺外面に、露光用樹脂マスクを固化させ、固化した露光用樹脂マスク上にサンドブラスト法に基いて彫刻を施すものであり、骨壺外面への彫刻は耐久性あるものの、骨壺外面の彎曲した狭い面に写真等を彫刻することは技能を要し、又、経歴等の記入スペースが狭小であるという問題点を有していた。
又、骨壺を覆うハウジング外面に写真等を彫刻するようにしたものが提案されている（例えば、実用新案文献２参照）。しかしながら、実用新案文献２記載の考案は、骨壺と相似形のハウジング外面に彫刻を行うため、曲面であるハウジング外面に彫刻をするのに技能を要し、経歴等の記入スペースが狭小であるという問題点を有していた。【０００４】  直接、骨壺に故人情報を記することなく、副葬品に故人情報を表示し長期保存可能にしたものが提案されている。例えば、写真、戒名等の故人情報を有色プレート若しくは金属プレートに記載し、記入されたプレートを透明ガラス若しくは透明プラスチック内に埋め込んだものを、遺骨と共に収納するようにし、骨壺を開壷すれば遺骨の主体である故人の情報を知り得るようにしたものが提案されている（例えば、実用新案文献３参照）。しかしながら、実用案案文献３記載の考案であると、骨壺を開蓋しなければ遺骨の個人情報を知ることができず、骨壺の開蓋後に遺骨の中から故人情報を記入したプレート等を取り出す作業を必要とし、又、閉蓋状態では骨壺に収納された遺骨の故人情報を知ることができないという問題点を有していた。【０００５】  故人情報を墓石、墓誌に無機顔料で転写、焼付けするようにした発明が提案されている（例えば、特許文献２参照）。しかしながら、墓石や墓誌への記載方法が、例えばサンドブラスト法（例えば、特許文献３参照）のような耐久性を有する方法によるものであっても、骨壼は墓誌や墓石と距離的に離隔した位置にあり、特定の骨壼に収納された遺骨に限定した故人の詳細な情報を表示したものではない。
【特許文献１】特開平９−１７３３９６号公報
【特許文献２】特開２０００−３２０１８９号公報
【特許文献３】特開平９−３５３１２４号公報
【実用新案文献１】
実開昭６３−１１４６３４号公報
【実用新案文献２】
実用新案登録第３０８２２０９号の登録実用新案公報
【実用新案文献３】
実用新案登録第３０６３７９２号の登録実用新案公報
【発明の開示】
【発明が解決しようとする課題】
【０００６】  本願発明は、納骨室内に収納された個々の骨壺内の対応する遺骨の故人に関し、世代を超えて生前の姿や経歴等の情報を鮮明に後世に骨壺を特定して伝達可能にするものである。
【課題を解決するための手段】
【０００７】  本願発明は、墳墓の納骨室に収納された個々の骨壺を、顔写真若しくは肖像画若しくは経歴で収納された遺骨の故人を特定可能にし、且つその故人の生涯を認識可能にするための骨壼載置装置であって、上面が骨壺を安定的に載置可能な骨壺載置面に形成され、骸骨壺載置面の正面側には、一定溝幅のプレート嵌入溝を横方向に延設してなる骨壺載置台と、前記プレート嵌入溝に嵌入可能な厚みを有し、一方の面には故人の顔写真若しくは肖像画を耐久性を保持させて表示し、他方の面にはその故人の経歴、功績を耐久性を保持させて表示したプレートとより構成され、このプレート下端縁を前記プレート嵌入溝に嵌め込んで、プレートを骨壺載置台正面側に立設掲示し、前記骨壺載置面には前記プレートに表示された故人の遺骨を収納した骨壺を載置して納骨室に収納するように構成されてなることを特徴とする。
【発明の効果】
【０００８】  本発明は骨壺載置台の平坦な骨壺載置面に骨壼を載置するので、納骨室内で骨壺が倒れることなく安定的に収納され、又、納骨室を開くと即座に骨壺に誰の遺骨が収納されているのかが顔写真或は肖像画で判かり、故人の顔やその故人の人生史が世代を超えて明確に伝達可能で、故人に敬愛の念や親愛の情を抱きやすいという効果がある。
又、プレートは骨壺載置台に着脱可能に取り付けられているので、骨壺はそのままの状態でプレートのみを入れ替えることにより、プレート正面の写真を故人の他の写真に表示することができるという効果がある。
【発明を実施するための最良の形態】
【実施例１】
【０００９】  図１〜図５を参照にして実施例１について説明する。
図１は骨壺載置装置の構成を示す説明図、図２はプレート嵌入溝にプレートを嵌め込まれた状態を示す斜視図、図３はプレートの背面図、図４は骨壺載置台の平面図、図５は使用状態を示す説明図である。
これらの図において、骨壺載置台１は例えば御影石、花崗石等の石材を用い、所定の高さを有する基台状に形成されている。骨壺載置台１は側面全周に亘たり、故人の信仰していた宗教と関連する模様等を施こす。例えば、故人の信仰していた宗教が仏教であった場合は、側面に蓮華２を彫刻して蓮華座を模した骨壺載置台１を形成する。骨壼載置台１の上面には、平視方形状の平坦面よりなる骨壺載置面３を設けている。骨壺載置面３は蓮華２の基部に相当する骨壺載置面３の外側方より僅かばかり高さを有するように形成されている。【００１０】  プレート嵌入溝４は、骨壺載置台１の上面に於ける骨壺載置面３の正面位置において、骨壺載置面３の左右側縁と略直交し骨壺載置面３の横方向に延設されている。プレート嵌入溝４は、正背方向に一定距離離隔して対設した１対のガイド板５、５により形成されている。【００１１】  プレート６は骨壺載置台１と同じ材質よりなる。つまり、御影石や花崗石等を、プレート嵌入溝４の溝幅と同じか又は僅かばかり短い長さの厚みを有する板状に形成されている。プレート６の正面には、故人の生前の顔写真を半永久性を保持させて表示する。具体的には、既知技術のサンドブラスト法等を用い、石材を彫刻し、インクを吹き付け、さらに合成樹脂塗膜を設けて耐久性を保持させるようにする方法が考えられる。プレート６の背面には、正面の写真に表示された故人の人生史を半永久性を保持させて表示する。【００１２】  そして、図５に示すように、プレート嵌入溝４にプレート６の下端縁を嵌め込んで、ガイド板５、５間にプレート６を立設支持し、骨壺載置面３に写真に表示された故人の遺骨を収納した骨壺７を載置し、墳墓の納骨室に収納するものである。
本骨壺載置装置は、プレート６を骨壺７の正面方に立設した状態で使用するため、高さをある程度有する納骨室を備えた墳墓に好適で、特に沖縄県地方の亀甲墓の納骨室に納骨するのに最適である。
本実施例に示される骨壺載置装置は、納骨室を開扉すれば、即座に骨壺とその骨壺に収納されている遺骨の故人の詳細な情報が時を超えて明確に伝達可能という効果がある。
【図面の簡単な説明】
【００１３】
【図１】骨壺載置装置の構成を示す斜視図である。（実施例１）
【図２】骨壺載置台のプレート嵌入溝にプレートを嵌め込んだ状態を示す斜視図であある。（実施例１）
【図３】プレートの背面図である。（実施例１）
【図４】骨壺載置台の平面図である。（実施例１）
【図５】使用状態を示す説明図である。（実施例１）
【符号の説明】
【００１４】  １  骨壺載置台
３  骨壺載置面
４  プレート嵌入溝
６  プレート
７  骨壺
【図１】
2007160040.tif 000003
【図２】
2007160040.tif 000004
【図３】
2007160040.tif 000005
【図４】
2007160040.tif 000006
【図５】
2007160040.tif 000007